(57)【特許請求の範囲】
【請求項１】
複数の図柄を回転表示又は停止表示するための図柄表示手段と、
遊技者の操作を契機として前記図柄表示手段を停止表示から回転表示へ移行させるための操作スイッチとしてのスタートスイッチと、
遊技者の操作を契機として前記図柄表示手段を回転表示から停止表示へ移行させるための操作スイッチとしてのストップスイッチと、
前記スタートスイッチの操作を契機として、前記図柄の組み合わせにより構成される当選役を抽選により決定するための当選抽選手段と、
前記当選抽選手段の抽選結果に対応した停止制御を前記図柄表示手段に対して行うための遊技制御手段とを備え、
前記停止制御は、停止操作信号の入力によって実行される、所定の図柄が所定位置に揃わないように設定した蹴飛ばし設定と、所定図柄を所定位置にまで引き込んで停止するように設定した引き込み設定とを備え、
遊技媒体の投入を条件として遊技が開始可能となり、前記当選抽選手段の抽選結果、所定の当選した図柄（以下、「当選図柄」という。）からなる前記当選役に当選した場合には、前記図柄表示手段の停止表示が前記当選役に応じて予め定められた前記当選図柄の表示態様になることにより入賞となって賞品としての遊技媒体が払い出されて、当該遊技が終了するように設定された遊技機において、
前記図柄表示手段の回転表示から停止表示への移行が不能な期間である停止表示不能期間を設定する停止表示不能期間設定手段と、
前記スタートスイッチが操作されて前記図柄表示手段が回転表示を開始した後、前記ストップスイッチが操作された場合、
前記ストップスイッチを手で押下した時（以下、「押下時」という。）が前記停止表示不能期間でなければ、前記図柄表示手段を回転表示から停止表示へ移行させるための停止操作信号を、前記押下時に出力し、
前記ストップスイッチの前記押下時が前記停止表示不能期間であり、且つ前記ストップスイッチからその手を離した時（以下、「離反時」という。）が停止表示不能期間でなければ、前記離反時に前記停止操作信号を出力し、
前記ストップスイッチの前記押下時が前記停止表示不能期間であり、且つ前記ストップスイッチの前記離反時も停止表示不能期間であれば、前記停止操作信号を出力しないようにした停止操作信号出力手段とを備え、
前記遊技制御手段は、前記停止操作信号が前記遊技制御手段に入力され、その停止操作信号の入力のタイミングに基づいて、前記蹴飛ばし設定及び前記引き込み設定を有する前記停止制御を行った後に、前記図柄表示手段を停止表示させるように形成したことを特徴とする遊技機。
【発明の詳細な説明】
【技術分野】
【０００１】
この発明は、早く遊技を進めることが可能な遊技機に関するものである。
【背景技術】
【０００２】
従来、この種の遊技機としては、例えばスロットマシンがある。このスロットマシンにおいて、遊技者は、抽選の結果、当選（内部当選）した当選役の当選図柄を、所定の入賞有効ライン上に揃えて入賞させるものである。それは、遊技者がスタートスイッチを押下して、回転リールが回転を開始する。そして、回転する回転リールに狙いを定めて、遊技者が手でストップスイッチを押下し、入賞有効ライン上に当選図柄を揃えることにより、入賞し、賞品である遊技メダルを獲得していた。
また、スロットマシンでは、著しく射幸心を煽らないために、単位時間当たりの遊技回数に所定の制限を設けている。具体的には、前回の遊技の所定時から計測した時間が、予め定めた遊技制限時間（具体的には、例えば４．１秒）を経過するまでは、所定の操作スイッチ（例えばストップスイッチ）を遊技者が操作しても、その操作スイッチの機能を有効に作動させないようにしているものである。これにより、際限なく、１回の遊技の時間が短くなることを回避することができ、遊技の極端な早い進行を抑え、遊技の回転が著しく早くなることを抑えている。
【０００３】
また、スロットマシンは、スタートスイッチを押下して、回転リールが回転を開始して、回転リールの回転が所定の回転速度に到達するまで、遊技者がストップスイッチを押下しても、回転リールの回転は停止しないように設定されている。すなわち、かかる定常回転速度に到達するまでの期間は、ストップスイッチの機能を有効に作動させないようにしているものである。
このように、スロットマシンにおいて、上述した理由等により、所定の操作スイッチの機能を有効に作動させないような期間が設定されている。すなわち、遊技を早く進めようとしても、その進行を制限するような期間が設定されている。
【０００４】
一方、通常、スロットマシンにおいて、ストップスイッチの操作タイミングは、いわゆる目押しと呼ばれるように、遊技者が手でストップスイッチを押下したタイミングである（例えば、特許文献１。）。
また、賞球装置において、センサ立ち上げ信号で玉有り、センサ立ち下げ信号で玉無しを検知するようなものが知られている（例えば、特許文献２。）。
【特許文献１】特開２００２−３５５３６８号公報
【特許文献２】特開平０３−１９５５８２号公報
【発明の開示】
【発明が解決しようとする課題】
【０００５】
しかし、上記した従来の遊技機では、遊技を早く進めようとして、ストップスイッチを遊技者が手で操作しても、上述したような遊技の進行を制限する期間内のときは、ストップスイッチの機能を有効にさせないため、その操作は、キャンセルされてしまう。そして、かかる遊技の進行を制限する期間が終了した後に、再度、ストップスイッチ等の操作スイッチを遊技者が手で操作しなければならず、大変、煩わしいといった第１の問題点があった。
そして、ストップスイッチの操作がキャンセルされて、遊技の進行が一度、ストップしてしまうため、遊技のスムーズな進行を阻害し、遊技を早く進めることができないといった第２の問題点があった。
【０００６】
また、ストップスイッチの操作がキャンセルされて、遊技の進行が一度、ストップしてしまうため、遊技者が精神的に苛立ち、繰り返し何度もストップスイッチを強打してしまい、その結果として、ストップスイッチ等の操作スイッチが破壊したり、摩耗を早めてしまうといった第３の問題点があった。
【０００７】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１から第３の問題点に鑑みてなされたものであり、その目的とするところは、ストップスイッチの操作が有効にならない期間に操作した場合の操作性を向上し、キャンセルされる煩わしさを減らし、遊技のスムーズな進行を促進して、最短の遊技時間を確保し、遊技者の苛立ちを回避して、ストップスイッチの破壊を減らすことが可能な遊技機を提供しようとするものである。
【課題を解決するための手段】
【０００８】
（請求項１）
（特徴点）  請求項１記載の発明は、次の点を特徴とする。すなわち、複数の図柄(61)を回転表示又は停止表示するための図柄表示手段(41)と、遊技者の操作を契機として前記図柄表示手段(41)を停止表示から回転表示へ移行させるための操作スイッチとしてのスタートスイッチ(30)と、遊技者の操作を契機として前記図柄表示手段(41)を回転表示から停止表示へ移行させるための操作スイッチとしてのストップスイッチ(50)と、前記スタートスイッチ(30)の操作を契機として、前記図柄(61)の組み合わせにより構成される当選役を抽選により決定するための当選抽選手段(110)と、前記当選抽選手段(110)の抽選結果に対応した停止制御を前記図柄表示手段(41)に対して行うための遊技制御手段(27)とを備え、前記停止制御は、停止操作信号の入力によって実行される、所定の図柄(61)が所定位置に揃わないように設定した蹴飛ばし設定と、所定図柄(61)を所定位置にまで引き込んで停止するように設定した引き込み設定とを備え、遊技媒体の投入を条件として遊技が開始可能となり、前記当選抽選手段(110)の抽選結果、所定の当選した図柄(61)（当選図柄(61)）からなる前記当選役に当選した場合には、前記図柄表示手段(41)の停止表示が前記当選役に応じて予め定められた前記当選図柄(61)の表示態様になることにより入賞となって賞品としての遊技媒体が払い出されて、当該遊技が終了するように設定された遊技機(10)において、前記図柄表示手段(41)の回転表示から停止表示への移行が不能な期間である停止表示不能期間を設定する停止表示不能期間設定手段(150)と、前記スタートスイッチ(30)が操作されて前記図柄表示手段(41)が回転表示を開始した後、前記ストップスイッチ(50)が操作された場合、前記ストップスイッチ(50)を手で押下した時（押下時）が前記停止表示不能期間でなければ、前記図柄表示手段(41)を回転表示から停止表示へ移行させるための停止操作信号を、前記押下時に出力し、前記ストップスイッチ(50)の前記押下時が前記停止表示不能期間であり、且つ前記ストップスイッチ(50)からその手を離した時（離反時）が停止表示不能期間でなければ、前記離反時に前記停止操作信号を出力し、前記ストップスイッチ(50)の前記押下時が前記停止表示不能期間であり、且つ前記ストップスイッチ(50)の前記離反時も停止表示不能期間であれば、前記停止操作信号を出力しないようにした停止操作信号出力手段(120)とを備え、前記遊技制御手段(27)は、前記停止操作信号が前記遊技制御手段(27)に入力され、その停止操作信号の入力のタイミングに基づいて、前記蹴飛ばし設定及び前記引き込み設定を有する前記停止制御を行った後に、前記図柄表示手段(41)を停止表示させるように形成したことを特徴とする。
【０００９】
また、ここで、「図柄表示手段(41)」とあるのは、例えば、回転リール(40)であるが、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。
また、ここで、「遊技機(10)」とは、具体的には、例えば、スロットマシンであるが、上述した回転リール(40)を有するパチンコ機や、その他の遊技機を含むものである。
【００１０】
また、ここで、「遊技媒体」とは、遊技機(10)内部への投入により遊技開始の条件となり、また、入賞により所定数が遊技者へ払い出される価値物であって、具体的には、例えば、円板状の遊技メダルであるが、それに限定されるものではなく、通常のコインでもよく、また、球状のボール球でもよいものである。
また、ここで、「当選役」とは、予め定めた入賞態様の組み合わせを意味するものであって、具体的には、例えば、左、中、右の回転リール(23)の停止図柄が、それぞれ７、７、７となることにより、入賞可能となるような入賞態様の組み合わせを含むものである。
（作用）  本発明は、停止操作信号出力手段(120)は、ストップスイッチ(50)の押下時に停止表示不能期間でなければ、図４に示すように、前記押下時に停止操作信号を出力する。このため、押下時の操作タイミングで、図柄表示手段(41)が回転表示から停止表示へ移行する。この場合は、ストップスイッチ(50)の押下時に停止操作信号が出力されるので、何の支障もなく、スムーズに遊技を進行させることができる。
【００１１】
また、停止操作信号出力手段(120)は、ストップスイッチ(50)の押下時が停止表示不能期間であり、且つ、ストップスイッチ(50)から手を離した離反時が停止表示不能期間でなければ、図５に示すように、前記離反時に停止操作信号を出力する。このため、ストップスイッチ(50)からの離反時の操作タイミングで、図柄表示手段(41)が回転表示から停止表示へ移行する。この場合は、遊技者が手でストップスイッチ(50)を押下した瞬間に、図柄表示手段(41)が停止表示へ移行しないため、遊技者は、その瞬間に押下時が停止表示不能期間であることを認識することができる。そして、遊技者は、そのまま手でストップスイッチ(50)を押下した状態のまま、目押しを行い、ストップスイッチ(50)から手を離した離反時に、図柄表示手段(41)を回転表示から停止表示へ移行させることができるものである。これは、ストップスイッチ(50)の押下がキャンセルされて、手を離した後、再度、押下しなければならないようなものと比較して、遊技者の動作が１ステップ減ることになる。これにより、そのようなものと比較して、ストップスイッチ(50)の操作性を向上させることができ、ストップスイッチ(50)の操作がキャンセルされる煩わしさを減らすことができ、遊技の進行をスムーズにすることができる。そして、遊技者の操作を、ストップスイッチ(50)を押下して、キャンセルされた場合、手を離して、再度、押下するようなものと比較して、かかる条件下における遊技時間を最短にすることができ、遊技者の苛立ちを回避することができて、ストップスイッチ(50)が破壊されるようなことを回避することができる。
【００１２】
また、停止操作信号出力手段(120)は、ストップスイッチ(50)の押下時が停止表示不能期間であり、且つ、ストップスイッチ(50)から手を離した離反時も停止表示不能期間であれば、図６に示すように、押下時及び離反時のいずれの場合も停止操作信号を出力しない。このため、図柄表示手段(41)は、回転表示から停止表示へ移行せず、回転表示の状態を継続する。
この場合は、ストップスイッチ(50)の押下時も、離反時も、図柄表示手段(41)が回転表示から停止表示へ移行しない。したがって、遊技者は、ストップスイッチ(50)の押下時も離反時も、いずれの場合も、停止表示不能期間であることを認識することができる。そして、いわゆる目押しができる操作タイミングであるストップスイッチ(50)の押下時及び離反時のいずれも停止表示不能期間であるため、停止表示へ移行せずに、停止操作信号を出力しないものである。これは、再度のストップスイッチ(50)の操作により、新たな目押しの機会を付与すべく、今回の操作では停止操作信号を出力しないものである。これにより、際限なく、１回の遊技時間が短縮されることを避けることができ、遊技の進行が進められることを防止することができる。そして、遊技の回転が著しく速くなることを回避することができる。結果として、著しく射幸心を煽るようなことを回避することができるものである。
【発明の効果】
【００１３】
本発明は、以上のように構成されているので、以下に記載されるような効果を奏する。
（請求項１）  請求項１記載の発明によれば、次のような効果を奏する。すなわち、請求項１記載の発明によれば、ストップスイッチの操作が有効にならない期間に操作した場合の操作性を向上し、キャンセルされる煩わしさを減らし、遊技のスムーズな進行を促進して、最短の遊技時間を確保し、遊技者の苛立ちを回避して、ストップスイッチの破壊を減らすことが可能な遊技機を提供することができる。
【発明を実施するための最良の形態】
【００１４】
（図面の説明）  図１乃至図９は、本発明の形態を示すものである。図１は遊技機の入力、制御及び出力のブロック図、図２は当選抽選手段のブロック図、図３は遊技機の外観正面図、図４から図６までは信号波形のタイミングの概念図、図７から図９までは遊技機の動作の概略のフローをそれぞれ示すものである。
（遊技機10）  遊技機10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。また、前扉14の下部には、入賞した際、遊技者に遊技メダルを払い出すための払い出し口32が形成され、この払い出し口32の下には、払い出された遊技メダルを貯留するため上方に開口する皿状の払い出し皿33が形成されている。
【００１５】
前記回転リール40は、図３の向かって左端側に位置する左側回転リール43と、図３の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００１６】
遊技機10の内部には、図示していないが、遊技機10の全体の動作を制御するための制御装置20（図１参照）が内蔵されている。
なお、ここで、「前面」や「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。
また、「背面」や「後方向」や「奥方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００１７】
（制御装置20）  前記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
図１に示すように、スタートスイッチ30及びストップスイッチ50の操作により、回転リール40の回転及び停止を制御するための遊技制御装置21と、ランプやスピーカー等の報知手段66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
【００１８】
（遊技制御装置21）  前記遊技制御装置21は、スタートスイッチ30及びストップスイッチ50の遊技者による操作により、回転リール40の回転及び停止を制御するためのものである。この遊技制御装置21は、次の手段として機能する。
（１）遊技制御手段27
（２）当選抽選手段110
（３）停止表示不能期間設定手段150
（４）停止操作信号出力手段120
また、遊技制御装置21としては、上記した手段に限定されるものではなく、他の手段を含んでいても良い。
【００１９】
（演出制御装置22）  前記演出制御装置22は、主として演出データに関するものであって、報知ランプ69やスピーカー67等の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。そして、この演出制御装置22は、次の手段として機能する。
【００２０】
（１）演出データ記憶手段25
（２）演出制御手段26
また、演出制御装置22としては、上記した手段に限定されるものではなく、他の手段を含んでいても良い。
前記制御装置20の入力側には、主として制御装置20に信号を送る入力手段が配置され、前記制御装置20の出力側には、主として制御装置20からの信号が送り込まれる出力手段が配置されている。
（入力手段）  前記制御装置20の入力側には、図１に示すように、次のパーツが接続されている。
【００２１】
（１）投入スイッチ15
（２）ベットスイッチ16
（３）精算スイッチ17
（４）スタートスイッチ30（変動表示開始手段31）
（５）ストップスイッチ50（変動表示停止手段51）
なお、入力手段としては、上記した（１）乃至（５）のパーツに限定されるものではない。
（出力手段）  前記制御装置20の出力側には、図１に示すように、次のパーツが接続されている。
【００２２】
（１）貯留払い出し手段65
（２）リールユニット60（回転リール40（図柄表示手段41）、モータードライバ62及び駆動モーター63）
（３）報知手段66（スピーカー67、報知ランプ69、表示装置68及び停止表示不能期間報知装置160）
なお、出力手段としては、上記した（１）乃至（３）のパーツに限定されるものではない。
（投入スイッチ15）  前記投入スイッチ15は、図３に示すように、回転リール40の斜め下方に位置するスイッチであって、遊技メダルのメダル投入口18から投入された遊技メダルを検知するためのものである。
【００２３】
（ベットスイッチ16）  前記ベットスイッチ16は、図３に示すように、回転リール40の下方に位置するスイッチであって、遊技者により予め投入されて遊技機内部に貯留した貯留メダル数を減じて、遊技開始の条件としてのメダル投入に代えるためのものである。
（精算スイッチ17）  前記精算スイッチ17は、図３に示すように、回転リール40の斜め下方に位置するスイッチであって、貯留した投入メダルを払い出すためのものである。
（スタートスイッチ30）  前記スタートスイッチ30は、遊技者の操作を契機として図柄表示手段41としての回転リール40を停止表示から回転表示へ移行させるための変動表示開始手段31として機能するものである。このスタートスイッチ30は、図３に示すように、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
【００２４】
なお、ここで、「再遊技（リプレイ、Replay）」とは、当選抽選手段110の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
（ストップスイッチ50）  前記ストップスイッチ50は、遊技者の停止操作を契機として、前記図柄表示手段41の回転表示を停止表示へ移行させるための変動表示停止手段51として機能するものである。このストップスイッチ50は、遊技者により複数個の図柄表示手段41としての回転リール40を別個独立に停止操作が可能なものであって、リールユニット60の駆動モーターの回転を停止させるためのものである。具体的には、ストップスイッチ50は、図３に示すように、各回転リール40に対応した三個のスイッチから構成され、各回転リール40の下方に１個ずつ配置されているものである。遊技者が回転リール40に対応したストップスイッチ50を指で押す又は触れる等の停止操作を行うことにより、当該対応した回転リール40が回転を停止するように設定されているものである。
【００２５】
（貯留払い出し手段65）  前記払い出し装置65は、いわゆるホッパーユニットであって、図示しないが、投入された遊技媒体を貯留することができるとともに、入賞した場合に、遊技者に向かって所定数の遊技媒体としての遊技メダルを払い出すためのものである。
（リールユニット60（回転リール40、モータードライバ62及び駆動モーター63））  前記リールユニット60は、複数の配列された図柄を回転変動表示又は回転停止表示するための複数個の図柄表示手段41としての回転リール40を備えているものである。この回転リール40は、２１個の図柄を周囲に均等に配列した筒状のものである。そして、リールユニット60には、３個の駆動モーター63が、基体としての枠体に固定或いは支持されている。そして、各々の駆動モーター63の回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーター63により、回転を開始した後、前記スタートインデックスを光センサー等により検知してからの回転角度を認識することで、現在の回転位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００２６】
以下、具体的に説明すると、この回転リール40の外周表面の２１個の図柄61には、各図柄61の表示位置により異なる図柄番号が付与されている。そして、この回転リール40の回転駆動軸には、回転リール40を回転駆動させるための回転駆動源である駆動モーター63としてのステッピングモーター64が固定されている。このステッピングモーター64は、リールユニット60の基体である枠体に固定されて所定の回転角度だけ回転リール40を回転させるための回転駆動力を発生するものである。このリールユニット60には、このステッピングモーター64を回転駆動させるためのモータードライバ62が形成されている。このモータードライバ62には、遊技制御装置21からの制御信号としてのパルス信号が入力されることにより、ステッピングモーター64を回転駆動させる駆動電力を供給するためのものである。
【００２７】
（報知手段66）  前記報知手段66は、遊技者に当選や入賞等を音や光や映像で報知させるためのものである。具体的には、報知手段66は、筐体11の下部に埋め込まれた左右２個のスピーカー67と、表示窓12の上部中央に配置されたドット状の大型パネルＬＥＤからなる表示装置68と、表示窓12の周囲縁に配置された５個の報知ランプ69と、停止表示不能期間の時間経過状態を遊技者に向かって報知するための停止表示不能期間報知装置160とを備えているものである。そして、この報知手段66は、演出制御装置22の制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞や、停止表示不能期間の経過状況等を報知させるためのものである。
【００２８】
（停止表示不能期間報知装置160）  前記停止表示不能期間報知装置160は、停止表示不能期間の時間経過状態を遊技者に向かって報知するためのものである。この停止表示不能期間報知装置160は、図３に示すように、リールユニット60の下の表示窓12に設けてあるものである。この停止表示不能期間報知装置160は、内部に上方に矢印を向けた針が取り付けられ、停止表示不能期間の開始に伴って、この針が右回転を開始する。そして、この停止表示不能期間報知装置160は、その針が、１回の停止表示不能期間で丁度、１周し、停止表示不能期間の終了とともに、再度、矢印を上方に向けて止まるように形成されている。具体的には、前回遊技の回転リール40の回転表示の開始時から、回転を開始し、略４．１秒で１周するものである。そして、かかる４．１秒経過後であっても、回転リール40が定常回転速度に到達していない場合は、その後、定常回転速度に到達する時間αを加えた４．１＋α秒で、１周するように設定されている。
【００２９】
なお、本形態では、図３に示すような針が回転するアナログ的に表示する装置であるが、特にこれに限定されるものではなく、円グラフや、棒グラフが時間とともに、内部の色の異なるエリアが変化するようなものでもよく、或いは、直接、停止表示不能期間の数値を表示するデジタル的な表示をするような装置でも良い。
なお、この停止表示不能期間報知装置160は、上述したように所定時から４．１秒の時間だけを、表示するようにしても良い。また、スタートスイッチ30が押下されてから、回転リール40の回転速度が、定常回転速度に到達するまでの時間だけを、針の１周となるように設定しても良い。
【００３０】
（遊技制御手段27）  前記遊技制御手段27は、遊技を行わせるためのものである。すなわち、遊技メダルの投入若しくはベットスイッチ16の投入を条件に、または、「再遊技（リプレイ、Replay）」時には、スタートスイッチ30を操作すると、前遊技から所定時間経過を条件に、リールユニット60を駆動させ、三個の回転リール40が回転を開始する。その後、ストップスイッチ50の一個を遊技者が操作すると、当該対応する回転リール40の回転を停止させる。そして、ストップスイッチ50を三個全て操作し終わると、三個の回転リール40の回転を全て停止させる。このとき、表示窓12の入賞有効ライン上に、予め設定された図柄61が停止すると、ホッパーユニット65を介して所定枚数のメダルが払い出される。なお、遊技メダルを払い出す代わりに、クレジットしても良い。
【００３１】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。
【００３２】
ここで、「当選フラグ」とは、当選抽選手段110の抽選結果が所定の当選役に当選の場合に、当選であることを記憶しておくためのメモリーであり、小役当選の場合には、小役当選フラグを成立させ、抽選結果が特別当選である場合には特別当選フラグを成立させるものである。そして、この特別当選の当選フラグ成立中に、リールユニット60の回転リール40の停止図柄61の組み合わせが、予め定められた所定の当選図柄61（入賞有効ライン上に「７（いわゆるセブン）」が三個揃うもの）と一致したことを条件に入賞し、遊技者に有利な特別遊技を行わせるように形成されている。なお、この特別遊技は、予め定めた所定回数（具体的には、３０回）だけ遊技を行うことができるように設定されている。もちろん、この特別遊技の終了条件は、遊技回数に限定されるものではなく、例えば、所定の枚数の遊技メダルの払い出しが行われることにより、終了させるように設定しても良い。なお、小役当選の当選フラグは、当選フラグが成立した遊技で入賞させられない場合、当選フラグ成立の権利の次の遊技への持ち越しはない。なお、当選役としては、特別当選役（セブン）、小役（スイカ）、小役（チェリー）、小役（ベル）及び再遊技（リプレイ）を備えている。
【００３３】
前記遊技制御手段27は、後述する停止操作信号出力手段120が出力した停止操作信号に基づいて、図柄表示手段41としての回転リール40の停止制御を行うように形成されている。
（持ち越し可当選役、持ち越し不可当選役）  前記当選役は、当選抽選手段110で当選した遊技で入賞しない場合に、当選した権利を次の遊技に持ち越すことができる持ち越し可当選役と、当選抽選手段110で当選した遊技で入賞しない場合に、当選した権利を次の遊技に持ち越すことができない持ち越し不可当選役とを備えている。具体的には、持ち越し可当選役としては、上述した特別当選役（セブン）である。持ち越し不可当選役としては、小役当選役（スイカ、チェリー、ベル）と、再遊技（リプレイ）とから構成されている。
【００３４】
（蹴飛ばし設定と、引き込み設定）  前記回転リール40の回転及び停止を制御する停止制御として、入賞図柄の組み合わせを遊技者がストップスイッチ50を操作して所定位置に停止させようとしても、回転リール40が回転して、かかる当選図柄が所定位置に揃わないように設定した蹴飛ばし設定と、ストップスイッチ50を操作した状態から所定の図柄数（当該図柄も含めて５個）だけ回転リール40の回転上流側に位置する引き込み可能図柄の中に、当選フラグ成立中の当選図柄が含まれているような場合に、当選図柄を所定位置にまで引き込んで停止するように設定した引き込み設定とを備えている。
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止位置の図柄から連続する４個の引き込み可能図柄61の中（停止位置の図柄も含めて全部で５個の図柄）に、対応する当選図柄61が含まれているような場合には、停止するまでの時間を遅らせて、回転リール40は入賞有効ライン上にその当選図柄61を引き込んで停止する。一方、停止位置の図柄及びかかる４個の引き込み可能図柄61の中（全部で５個の図柄）に、対応する当選図柄61が含まれていないような場合には、入賞有効ライン上にその当選図柄61を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の入賞有効ライン上に揃わないような位置に停止する、いわゆる蹴飛ばされる。
【００３５】
なお、遊技制御手段27は、後述する図９のステップ５００に示すように、当選抽選手段110により当選した当選図柄61以外の入賞が成立しないような表示態様となるような蹴飛ばし設定の停止制御を、当選図柄61の入賞成立に優先させて制御している。すなわち、停止制御において、先ず最初に、重複入賞や、誤った入賞とならないように停止図柄を蹴飛ばす蹴飛ばし設定を、当選図柄を引き込んで入賞させる引き込み設定よりも、先に行っている。これにより、重複入賞や、誤った入賞の成立を回避している。
（停止テーブルによるテーブル停止制御）
本実施の形態では、上述したように判断停止制御を使用しているが、以下に記載するような、いわゆる停止テーブルを使用するテーブル停止制御を行っても良い。このテーブル停止制御は、停止制御として、停止テーブルを使用するもので、いずれかの当選フラグが成立中に、対応する当選図柄61を入賞有効ライン上に揃えることができるか否かは、選択した停止テーブル上に予め記載されている２１個の図柄に対応する各停止操作位置（Ｎｏ０〜Ｎｏ２０）でのすべりコマ数により決定されるものである。例えば、左側回転リール43、中央回転リール44及び右側回転リール45の入賞有効ライン上の図柄が順に青セブン、青セブン、青セブンと停止することにより、所定の当選役に入賞するように設定されている。そして、かかる当選役の当選フラグが成立している場合に、右側回転リール45での基準位置での停止操作位置がＮｏ６であるとき、選択された停止テーブルのＮｏ６の位置から３コマ後に青セブンが位置して、そのＮｏ６の位置のすべりコマ数には３が予め設定されているとする。かかる場合、その基準位置には、Ｎｏ６の図柄から３コマだけ回転移動して青セブンの当選図柄が停止することとなるものである。このように、停止テーブルには、各停止操作位置でのすべりコマ数が予め設定されている。そして、当選役スイカの当選の場合の停止テーブルのように、各当選役が当選しているときの停止テーブルや、ハズレの場合の停止テーブルが予め用意されてあり、当選抽選手段110の抽選結果によって、所定の停止テーブルが選択されるものである。
【００３６】
（当選抽選手段110）  前記当選抽選手段110は、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
前記当選抽選手段110は、図２に示すように、大別すると、次の手段を備える。
（１）当選乱数発生手段111
（２）当選乱数抽出手段112
（３）当選判定テーブル記憶手段113
（４）当選判定手段114
なお、当選抽選手段110としては、上記した（１）乃至（４）に限定されるものではない。
【００３７】
（当選乱数発生手段111）  前記当選乱数発生手段111は、抽選用の乱数を所定の領域内（十進数で０乃至６５５３５）で発生させるものである。この当選乱数発生手段111は、一定範囲の数字を高速で１ずつ加算するカウンタを用いて構成するものである。０乃至６５５３５の範囲の数字を、１秒間に数百万回程度順次繰り返すようにしたカウンタである。そして、「当選乱数抽出手段」としては、スタートスイッチを押したタイミングでカウンタの数字を読みとるものである。これは、「当選乱数発生手段」では乱数を発生しているわけではないものの、「当選乱数抽出手段」によって抽出される数字は、あたかも乱数のような分布となるものである。
【００３８】
なお、ここで、「当選乱数発生手段」には、ソフト乱数としての平均採中法（ｎ桁の数字を２乗して中央のｎ桁の数を取り出すことの繰り返しによる乱数発生方法）等で乱数を発生させることができるものでも良い。このように結果として乱数のような分布を示す数字が得られる手段を、ここでは、「当選乱数発生手段」或いは「当選乱数抽出手段」に含めて考えるものである。
（当選乱数抽出手段112）  前記当選乱数抽出手段112は、当選乱数発生手段111が発生する乱数を、所定の条件（例えば、スタートスイッチ30の操作）で抽出するものである。なお、この抽出した乱数を抽出乱数データとする。
【００３９】
（当選判定テーブル記憶手段113）  前記当選判定テーブル記憶手段113は、当選乱数発生手段111がとる乱数の全領域中、各当選項目の当選領域を有するものである。この当選判定テーブル記憶手段113は、異なる抽選確率を記憶した複数の当選判定テーブルを備えているものである。具体的には、当選判定テーブル記憶手段113は、当選判定テーブルとして、第１設定当選判定テーブルと、第２設定当選判定テーブルと、第３設定当選判定テーブルと、第４設定当選判定テーブルと、第５設定当選判定テーブルと、第６設定当選判定テーブルとを備えているものである。この第１〜６設定当選判定テーブルは、それぞれ異なる抽選確率が記録されてあり、いわゆるスロットマシンの１から６までの「設定」を決めるものであって、第１設定当選判定テーブルから第６設定当選判定テーブルまで、順に、抽選確率が高くなるように設定されている。
【００４０】
（当選判定手段114）  前記当選判定手段114は、当選乱数抽出手段112が抽出した抽出乱数データと、当選判定テーブル記憶手段113の当選判定テーブルの当選率データを基に当選乱数発生手段111がとる乱数の全領域中の各当選項目の当選領域からなる当選判定領域データとを照合し、当該抽出乱数データが属する当選領域に対応する当選を決定するものである。
（停止表示不能期間設定手段150）  前記停止表示不能期間設定手段150は、停止表示不能期間を設定するものである。この停止表示不能期間とは、ストップスイッチ50を遊技者が操作しても、停止操作信号出力手段120が停止操作信号を出力せずに図柄表示手段41の停止表示への移行が不能な期間である。
【００４１】
前記停止表示不能期間設定手段150は、今回の遊技の停止表示不能期間として、回転リール40の回転が停止している期間を含むように設定している。これは、回転リール40の回転が行われていない状態において、その回転リール40に対応するストップスイッチ50が操作されても、既に回転リール40は停止している状態であるからである。
そして、前記停止表示不能期間設定手段150は、今回の遊技の停止表示不能期間として、前回の遊技の回転リール40の回転開始時から、予め定めた一定時間が経過するまでの期間を含むように設定している。この予め定めた一定時間として、具体的には、４．１秒を設定している。これにより、前回の遊技の回転リール40の回転開始時から、今回の遊技のストップスイッチ50の操作が有効となるまでに少なくとも４．１秒の間隔をあけることができ、１回の遊技時間が際限なく短縮されることを回避することができるものである。ここで、今回の遊技の停止表示不能期間としているのは、かかる期間においては、今回の遊技におけるストップスイッチ50の実質的な停止操作が不能となるものであって、その期間中であっても、前回の遊技中のストップスイッチ50の操作が不能となるものではないからである。すなわち、今回の遊技の停止表示不能期間は、今回の遊技中におけるストップスイッチ50の停止操作が不能となる期間を意味する。
【００４２】
そして、前記停止表示不能期間設定手段150は、今回の遊技の停止表示不能期間として、回転リール40の回転開始から、回転リール40が定常回転速度に達するまでの期間を含むように設定している。これは、回転リール40が停止している状態から定常回転速度に到達するまでの期間に、ストップスイッチ50が操作されても、そのような定常回転速度に到達する以前の停止操作が有効とならないようにしたものである。
なお、上述した停止表示不能期間は、遊技機の種類の違いや、遊技内容の違いや、各種設定の違いにより、種々の範囲に設定することができるものである。特に、前回遊技の所定時から４．１秒の範囲内にスタートスイッチ30が操作された場合に、直ぐに回転リール40の回転を開始するものや、複数の回転リール40の一部から回転を開始するものや、スタートスイッチ30の操作を保留して定常回転速度に到達するまでの時間を逆算して自動的に回転を開始するものや、スタートスイッチ30の操作を保留してかかる４．１秒後に回転リール40の回転を開始するもの等の各種の設定の違いがあるような遊技機にも適用することが可能なものである。
【００４３】
具体的には、例えば、前記停止表示不能期間設定手段150は、今回の遊技の停止表示不能期間として、前回の遊技のストップスイッチ50の押下が可能となる押下可能時から、予め定めた一定時間（具体的には、４．１秒）が経過するまでの期間を含むように設定しても良い。この前回の遊技のストップスイッチ50の押下が可能となる押下可能時とは、種々の設定が可能となるものであるが、例えば、前々回の遊技のストップスイッチ50の押下が可能な押下可能時から４．１秒を経過した後であって、且つ回転リール40の回転が定常回転速度に到達した後を意味するようなものを含む。
（停止操作信号出力手段120）  前記停止操作信号出力手段120は、ストップスイッチ50の操作に基づいて、図柄表示手段41としての回転リール40を回転表示から停止表示へ移行させるための停止操作信号を出力するためのものである。
【００４４】
遊技者がストップスイッチ50を手で押下して、その後、その手を離す（離反）と、ストップスイッチ50からの操作信号Ａは、図４、図５及び図６の上部に示すようなものになる。すなわち、ストップスイッチ50の押下時に、操作信号Ａは立ち上がり、押下状態を維持すると、操作信号Ａはその立ち上がった状態をそのまま維持する。そして、遊技者が手をストップスイッチ50から離すと、操作信号Ａは元の状態に立ち下がり、その状態を維持することになる。
前記停止操作信号出力手段120は、かかるストップスイッチ50からの操作信号と、停止表示不能期間との関係により、回転リール40の回転を停止するための停止操作信号の出力の有無とそのタイミングとを決定する。
【００４５】
前記停止操作信号出力手段120は、スタートスイッチ30が操作されて図柄表示手段41が回転表示を開始した後、ストップスイッチ50が操作された場合、図４に示すように、ストップスイッチ50を遊技者の手で押下した時（押下時）が停止表示不能期間でなければ、押下時に停止操作信号Ｂを出力する。そして、遊技制御手段27は、かかる停止操作信号Ｂの入力タイミングに基づいて、当選抽選手段110の抽選結果に対応した停止制御を、図柄表示手段41に対して行うものである。すなわち、かかる停止操作信号Ｂの入力タイミング時の回転リール40の所定位置から回転上流側に向かって所定図柄（コマ）数（具体的には、５図柄）の範囲の中の図柄を停止図柄の対象とするものである。結果として、かかる停止対象図柄の範囲内に当選抽選手段110の抽選結果、当選した図柄が含まれているときには、かかる当選図柄を入賞有効ライン上に引き込んで停止させるものである。
【００４６】
また、前記停止操作信号出力手段120は、スタートスイッチ30が操作されて図柄表示手段41が回転表示を開始した後、ストップスイッチ50が操作された場合、図５に示すように、ストップスイッチ50の押下時が停止表示不能期間であり、且つ遊技者がストップスイッチ50から手を離した時（離反時）が停止表示不能期間でなければ、離反時に停止操作信号Ｃを出力する。そして、遊技制御手段27は、同様に、かかる停止操作信号Ｃの入力タイミングに基づいて、当選抽選手段110の抽選結果に対応した停止制御を、図柄表示手段41に対して行うものである。遊技者は、ストップスイッチ50を押下した際に、回転リール40が停止しないことにより、押下時において停止表示不能期間であったことを瞬間的に把握することが可能なものである。そして、遊技者が、押下した状態を維持したままで、離反時に回転リール40を停止すべく、離反時のタイミングで狙いの図柄を入賞有効ライン上に停止させる、いわゆる目押しを行うことができるものである。
【００４７】
また、前記停止操作信号出力手段120は、スタートスイッチ30が操作されて図柄表示手段41が回転表示を開始した後、ストップスイッチ50が操作された場合、図６に示すように、ストップスイッチ50の押下時が停止表示不能期間であり、且つストップスイッチ50の離反時も停止表示不能期間であれば、上述したような停止操作信号を出力しない。したがって、停止操作信号出力手段120からの信号波形は、元のフラットな状態を維持したままである。そして、遊技制御手段27は、停止操作信号の入力が無いので、回転リール40に対して停止制御を行わない。したがって、回転リール40は回転した状態を維持し続けることになる。遊技者は、ストップスイッチ50の押下時及び離反時のいずれも回転リール40の回転が停止しないことで、両方の場合において、停止表示不能期間であったことを認識することができる。かかる場合は、再度、ストップスイッチ50を操作することにより、再度の目押しのチャンスが可能となる。
【００４８】
（演出データ記憶手段25）  前記演出データ記憶手段25は、報知手段66の演出データを記憶するためのものである。具体的には、例えば、特別遊技（ＢＢゲーム等）の入賞時の報知手段66のスピーカー67から発生させるサウンドや、報知ランプ69の点灯、点滅の時間や順序等のデータや、表示装置68に表示される図柄模様及び文字列のデータが記憶されているものである。もちろん、記憶する演出内容は、これらに限定されるものではなく、予め記憶された音声や、振動や、他のランプの点灯等の種々の報知手段によるものでも良いものである。
（演出制御手段26）  前記演出制御手段26は、演出データ記憶手段25からの各演出データを、制御装置20等からの制御信号に基づいて、報知手段66に出力し、かかる装置を制御するためのものである。
【００４９】
具体的には、特別当選役（セブン）の当選フラグ成立の可能性が大きいときや、所定の当選フラグ成立中に所定の入賞有効ライン上に当該当選図柄が揃うことにより入賞したときに、演出データ記憶手段25からの演出情報に基づいて、報知ランプ69の所定位置のランプを点灯や点滅させたり、スピーカー67から所定の電子音を発生させたり、表示装置68に所定の図柄模様及び文字列を点灯表示させるためのものである。
（遊技機10の動作）  次に、前記構成を備えた遊技機の通常遊技の動作の概略について、図７から図９までに示したフローを用いて説明する。
先ず、図７に示すステップ１０１において、メダル投入口18から直接、遊技メダルが投入され、或いは、ベットスイッチ16の押下によって予め貯留した貯留メダルから内部投入され、今回の１回の遊技を開始するための条件としての遊技メダルの投入が行われる。そして、次のステップ１０２に進む。
【００５０】
ステップ１０２において、スタートスイッチ30が操作されることにより、スタートスイッチ30がＯＮとなる。そして、次のステップ１０３に進む。
ステップ１０３において、当選抽選手段110により抽選処理が行われる。そして、次のステップ１０４に進む。
ステップ１０４において、図柄表示手段41としての回転リール40が回転を開始する。そして、次のステップ１０５に進む。
ステップ１０５において、遊技者により第１番目に停止操作されたストップスイッチ50（以下、「第１停止ストップスイッチ」という。）が、遊技者の手によって押下される。そして、次のステップ１０６に進む。なお、この第１停止ストップスイッチは、遊技者により第１番目に停止操作が行われるストップスイッチ50であって、３個のストップスイッチ50のうち、左側、中央、右側のいずれでも良いものである。
【００５１】
ステップ１０６において、停止操作信号出力手段120により、押下時が、停止表示不能期間であるか否かが判定される。そして、停止操作信号出力手段120により、押下時が、停止表示不能期間でないと判定された場合、次のステップ１０７に進む。
ステップ１０７において、停止操作信号出力手段120により、第１停止ストップスイッチの押下時と略同一のタイミングで、停止操作信号が出力される。そして、次のステップ１０８に進む。
ステップ１０８において、遊技制御手段27により、かかる停止操作信号に基づいて、第１停止ストップスイッチに対応する回転リール40の回転停止の処理が行われる。そして、次のステップ１０９に進む。
【００５２】
ステップ１０９において、遊技者により第２番目に停止操作されたストップスイッチ50（以下、「第２停止ストップスイッチ」という。）が、遊技者の手によって押下される。そして、次のステップ１１０に進む。
ステップ１１０において、停止操作信号出力手段120により、第２停止ストップスイッチの押下時と略同一のタイミングで、停止操作信号が出力される。そして、次のステップ１１１に進む。
ステップ１１１において、遊技制御手段27により、かかる停止操作信号に基づいて、第２停止ストップスイッチに対応する回転リール40の回転停止処理が行われる。そして、次のステップ１１２進む。
【００５３】
ステップ１１２において、遊技者により第３番目に停止操作されたストップスイッチ50（以下、「第３停止ストップスイッチ」という。）が、遊技者の手によって押下される。そして、次のステップ１１３に進む。
ステップ１１３において、停止操作信号出力手段120により、第３停止ストップスイッチの押下時と略同一のタイミングで、停止操作信号が出力される。そして、次のステップ１１４に進む。
ステップ１１４において、遊技制御手段27により、かかる停止操作信号に基づいて、第３停止ストップスイッチに対応する回転リール40の回転停止処理が行われる。そして、次のステップ１１５進む。
【００５４】
ステップ１１５において、当選フラグ成立中に当該当選フラグに対応する当選図柄が入賞有効ライン上に揃ったか否か、すなわち、入賞したか否かが判定される。そして、入賞したと判定された場合、次のステップ１１６に進む。
ステップ１１６において、かかる当選図柄に相当する予め定めた特定の枚数の遊技メダルが払い出される。そして、今回の１回の当該遊技が終了する。
前記ステップ１０６において、停止操作信号出力手段120により、押下時が、停止表示不能期間であると判定された場合、次のステップ１１７に進む。
ステップ１１７において、遊技者の手が、第１停止ストップスイッチから手が離れる（離反）。そして、次のステップ１１８に進む。
【００５５】
ステップ１１８において、遊技者の手が、第１停止ストップスイッチから手が離れた離反時は、停止表示不能期間であるか否かが、停止操作信号出力手段120により判定される。そして、かかる離反時が停止表示不能期間でないと判定された場合、次のステップ１１９に進む。
ステップ１１９において、停止操作信号出力手段120により、第１停止ストップスイッチの離反時と略同一のタイミングで、停止操作信号が出力される。そして、次のステップ１２０に進む。
ステップ１２０において、遊技制御手段27により、かかる停止操作信号に基づいて、第１停止ストップスイッチに対応する回転リール40の回転停止の処理が行われる。そして、次のステップ１０９に進む。
【００５６】
前記ステップ１１８において、遊技者の手が、第１停止ストップスイッチから手が離れた離反時が停止表示不能期間であると判定された場合、次のステップ１２１に進む。
ステップ１２１において、遊技者による第１停止ストップスイッチの停止操作で、押下時及び離反時のいずれからも停止操作信号は出力されない。結果として、第１停止ストップスイッチの停止操作は、キャンセルされたこととなる。そして、次のステップ１０５に進む。
前記ステップ１１５において、入賞していなと判定された場合、今回の１回の当該遊技が終了する。
【００５７】
上述したステップ１０３の当選抽選処理について、図８のフローを用いて説明する。
ステップ２００において、当選抽選手段110の当選乱数発生手段111により発生された乱数の中から当選乱数抽出手段112により乱数が抽出される。そして、次のステップ２０１に進む。
ステップ２０１において、抽出された乱数が当選乱数抽出手段112の内部に記憶される。そして、次のステップ２０２に進む。
ステップ２０２において、当選判定手段114により、抽出された乱数と、当選判定テーブル記憶手段113の当選判定テーブルの当選判定領域データとの比較が行われる。そして、次のステップ２０３に進む。
【００５８】
ステップ２０３において、当選判定手段114により、抽出された乱数が、当選判定テーブル記憶手段113の当選判定テーブルのどの当選領域に含まれるか決定され、抽選処理の評価が決定される。そして、次のステップ２０４に進む。
ステップ２０４において、所定の図柄の蹴飛ばしと、所定図柄の引き込みとが設定される。そして、当選抽選処理が終了する。
上述したステップ１０８、ステップ１１１，ステップ１１４及びステップ１２０の回転リール40の回転停止処理について、図９を用いて説明する。
ステップ５００において、所定の図柄に対して、蹴飛ばしの設定が達成されたか否かが判定される。この蹴飛ばしの設定は、全ての入賞有効ライン上で、当選抽選手段110の抽選結果に基づいて不当入賞が発生しないように全ての停止操作タイミングにおいて、設定されているものである。これは、遊技制御手段27が、当選抽選手段110により当選した当選図柄61以外の入賞が成立しないような表示態様となる停止を、当選図柄61の入賞成立に優先させて制御しているものである。そして、所定の図柄の蹴飛ばしの設定が達成されていないと判定された場合、次のステップ５０１に進む。
【００５９】
ステップ５０１において、１個の図柄分だけ、回転リール40を回転させる。すなわち、１個の図柄分だけ蹴飛ばしを行う。そして、次のステップ５０２に進む。
ステップ５０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ５０３に進む。
ステップ５０３において、回転リール40の回転を停止させる。これにより、メダル投入から回転リール40の回転停止までの遊技機10の動作が終了する。
【００６０】
前記ステップ５００において、所定の図柄の蹴飛ばしの設定が達成されていると判定された場合、次のステップ５０４に進む。
ステップ５０４において、いずれかの図柄に対して引き込みが設定されているか否かが判定される。そして、いずれかの図柄に対して引き込みが設定されていると判定された場合、次のステップ５０５に進む。
ステップ５０５において、引き込み設定が達成されたか否かが判定される。そして、引き込み設定が達成されたと判定された場合、次のステップ５０３に進む。
前記ステップ５０４において、いずれの図柄に対しても引き込みが設定されていないと判定された場合、ステップ５０３に進む。
【００６１】
前記ステップ５０５において、引き込み設定が達成されていないと判定された場合、ステップ５０１に進む。
前記ステップ５０２において、ストップスイッチ50を操作した後、１図柄ずつ回転リール40を回転させてずらした図柄の数が４個目でない場合には、ステップ５００に戻る。
なお、上述した実施の形態において、回転リール40の停止処理に関してステップ５００乃至ステップ５０５で説明しているが、この例は、引き込み範囲図柄のうち、基準位置に近い図柄から条件を調査する、いわゆる最小引き込み停止制御の例である。逆に、引き込み範囲図柄のうち、基準位置に遠い図柄から条件を調査する、いわゆる最大引き込み停止制御としても良い。
【００６２】
更には、例えば、ストップスイッチ50の押下又は離反の操作タイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
【００６３】
（作用）  停止操作信号出力手段120は、第１停止ストップスイッチの押下時に停止表示不能期間でなければ、図４に示すように、第１停止ストップスイッチの押下時に停止操作信号を出力する。そして、遊技制御手段27により、かかる停止操作信号に基づいて、押下時の操作タイミングで、回転リール40が回転表示から停止表示へ移行する。この場合は、第１停止ストップスイッチの押下時に停止操作信号が出力されるので、遊技者にとって、目押しを行うに、何の支障もなく、スムーズに遊技を進行させることができる。
また、停止操作信号出力手段120は、第１停止ストップスイッチの押下時が停止表示不能期間であり、且つ、第１停止ストップスイッチから手を離した離反時が停止表示不能期間でなければ、図５に示すように、前記離反時に停止操作信号を出力する。このため、第１停止ストップスイッチからの離反時の操作タイミングで、回転リール40が回転表示から停止表示へ移行する。この場合は、遊技者が手で第１停止ストップスイッチを押下した瞬間に、回転リール40が停止表示へ移行しないため、遊技者は、その瞬間に押下時が停止表示不能期間であることを認識することができる。そして、遊技者は、そのまま手で第１停止ストップスイッチを押下した状態のまま、目押しを行い、第１停止ストップスイッチから手を離した離反時に、回転リール40を回転表示から停止表示へ移行させることができるものである。これは、第１停止ストップスイッチの押下がキャンセルされて、手を離した後、再度、押下しなければならないようなものと比較して、遊技者の動作が１ステップ減ることになる。これにより、そのようなものと比較して、第１停止ストップスイッチの操作性を向上させることができ、ストップスイッチ50の操作がキャンセルされる煩わしさを減らすことができ、遊技の進行をスムーズにすることができる。そして、遊技者の操作を、ストップスイッチ50を押下して、キャンセルされた場合、手を離して、再度、押下するようなものと比較して、かかる条件下における遊技時間を最短にすることができ、遊技者の苛立ちを回避することができて、ストップスイッチ50が破壊されるようなことを回避することができる。
【００６４】
また、停止操作信号出力手段120は、第１停止ストップスイッチの押下時が停止表示不能期間であり、且つ、第１停止ストップスイッチから手を離した離反時も停止表示不能期間であれば、図６に示すように、押下時及び離反時のいずれの場合も停止操作信号を出力しない。このため、第１停止ストップスイッチに対応する回転リール40は、回転表示から停止表示へ移行せず、回転表示の状態を継続する。
この場合は、第１停止ストップスイッチの押下時も、離反時も、回転リール40が回転表示から停止表示へ移行しない。したがって、遊技者は、第１停止ストップスイッチの押下時も離反時も、いずれの場合も、停止表示不能期間であることを認識することができる。そして、いわゆる目押しができる操作タイミングである第１停止ストップスイッチの押下時及び離反時のいずれも停止表示不能期間であるため、停止表示へ移行せずに、停止操作信号を出力しないものである。これは、再度のストップスイッチ50の操作により、新たな目押しの機会を付与すべく、今回の操作では停止操作信号を出力しないものである。これにより、際限なく、１回の遊技時間が短縮されて遊技の進行が進められることを防止することができ、遊技の回転が著しく速くなることを回避することができる。結果として、著しく射幸心を煽るようなことを回避することができるものである。
【００６５】
そして、本形態では、今回の遊技の停止表示不能期間には、前回の遊技の回転リール40の回転開始時から、予め定めた一定時間が経過するまでの期間を含むようにしている。これにより、前回の遊技の回転リール40の回転開始時から一定時間内に、ストップスイッチ50が押下され、或いは手をストップスイッチ50から離しても（離反しても）、停止操作信号は出力されずに、遊技は進行されない。これにより、前回の遊技の回転リール40の回転開始から、図柄表示手段41の停止表示への移行を、所定の時間間隔（予め定めた一定時間、例えば４．１秒）だけあけることができ、遊技が予め定めた一定時間よりも、早く進むことを制限することができる。
【００６６】
そして、本形態では、停止表示不能期間に、回転リール40の回転開始から定常回転速度に到達するまでの期間を含ませているため、回転リール40が回転を開始して、未だ、定常回転速度に到達する前に、目押しが行われて回転リール40が回転停止することを回避することができる。これにより、目押しの信頼性を担保することができる。
そして、回転リール40が定常回転速度に到達する前にストップスイッチ50が操作された場合のストップスイッチ50の操作性を向上させることができる。そして、ストップスイッチ50の操作がキャンセルされる煩わしさを減らすことができ、遊技の進行をスムーズにすることができる。
【００６７】
上述したように、本形態では、停止操作信号の発生タイミングを、押下時と、離反時との２パターン持つことにより、停止表示不能期間である４．１秒以内の停止操作のキャンセルを減らすことができる。そして、本形態では、停止表示不能期間における無駄なストップスイッチ50の押下の回数を極力減らすことができ、スムーズな遊技の進行を図ることができるとともに、複数回のストップスイッチ50の押下（強打、連打）による故障の原因を極力低減させることができる。
（その他のバリエーション）
この遊技機10は、以下の（１）、（２）及び（３）により構成される遊技機用プログラムによって制御することができる。
【００６８】
（１）遊技機10を、複数の図柄61を回転表示又は停止表示するための図柄表示手段41、遊技者の操作を契機として図柄表示手段41を停止表示から回転表示へ移行させるための操作スイッチとしての変動表示開始手段31、遊技者の操作を契機として図柄表示手段41を回転表示から停止表示へ移行させるための操作スイッチとしての変動表示停止手段51、変動表示開始手段31の操作を契機として、図柄61の組み合わせにより構成される当選役を抽選により決定するための当選抽選手段110、当選抽選手段110の抽選結果に対応した停止制御を図柄表示手段41に対して行うための遊技制御手段27として機能させ、遊技媒体の投入を条件として遊技が開始可能となり、当選抽選手段110の抽選結果、所定の当選した図柄61（当選図柄61）からなる当選役に当選した場合には、図柄表示手段41の停止表示が当選役に応じて予め定められた当選図柄61の表示態様になることにより入賞となって賞品としての遊技媒体が払い出されて、当該遊技が終了するように機能させるための遊技機用プログラム。
【００６９】
（２）遊技機10を、変動表示停止手段51の操作に基づいて、図柄表示手段41を回転表示から停止表示へ移行させるための停止操作信号を出力する停止操作信号出力手段120、変動表示停止手段51を遊技者が操作しても、停止操作信号出力手段120が停止操作信号を出力せずに図柄表示手段41の停止表示への移行が不能な期間である停止表示不能期間を設定する停止表示不能期間設定手段150として機能させるための遊技機用プログラム。
（３）停止操作信号出力手段120を、変動表示開始手段31が操作されて図柄表示手段41が回転表示を開始した後、変動表示停止手段51が操作された場合、変動表示停止手段51を遊技者の手で押下した時（押下時）が停止表示不能期間でなければ、押下時に停止操作信号を出力し、変動表示停止手段51の押下時が停止表示不能期間であり、且つ遊技者が変動表示停止手段51から手を離した時（離反時）が停止表示不能期間でなければ、離反時に停止操作信号を出力し、変動表示停止手段51の押下時が停止表示不能期間であり、且つ変動表示停止手段51の離反時も停止表示不能期間であれば、停止操作信号を出力しないように機能させるための遊技機用プログラム。
【００７０】
また、この遊技機10は、上述した遊技機用プログラムを記録したコンピュータ読み取り可能な記録媒体を用いて制御することもできる。
また、この図柄表示手段41は、例えば、周囲に複数の図柄を表示した現実の回転リール40を用い、この回転リール40の回転を制御するようにして形成することができる。また、この図柄表示手段41は、例えば、液晶ディスプレイやＣＲＴ等の画像表示装置を用い、この画像表示装置に複数の図柄を順次表示させるようにして形成することもできる。
ここで、この遊技機用プログラムを用いて現実の遊技機10を制御しようとする場合には、「遊技制御手段」は、当選抽選手段110の抽選結果が当選である場合に前記図柄表示手段の当選図柄を停止表示させたことを条件として入賞して遊技者に利益を付与するものである。また、かかる場合には、遊技制御手段は、例えば、ホッパーユニット65を駆動させて遊技者に対して現実の遊技メダルの払い出しを行うように形成することができる。
【００７１】
また、この遊技機用プログラムを用いて業務用或いは家庭用テレビゲーム機等を制御しようとする場合には、現実の遊技メダルの払い出しを行い得ないので、この制御手段は、例えば、液晶ディスプレイやＣＲＴ等の画像表示装置に遊技メダルの枚数を増やすような画像を表示するように形成することができる。
【図面の簡単な説明】
【００７２】
【図１】本発明の形態であって、遊技機の入力、制御及び出力を示すブロック図である。
【図２】本発明の形態であって、当選抽選手段を示すブロック図である。
【図３】本発明の形態であって、遊技機を示す外観正面図である。
【図４】本発明の形態であって、押下時が停止表示不能期間でない場合の信号波形のタイミングを示す概念図である。
【図５】本発明の形態であって、押下時が停止表示不能期間であり、且つ離反時が停止表示不能期間でない場合の信号波形のタイミングを示す概念図である。
【図６】本発明の形態であって、押下時が停止表示不能期間であり、且つ離反時も停止表示不能期間である場合の信号波形のタイミングを示す概念図である。
【図７】本発明の形態であって、遊技機の動作を示すフローである。
【図８】本発明の形態であって、遊技機の動作のうち、当選抽選処理を示すフローである。
【図９】本発明の形態であって、遊技機の動作のうち、回転リールの回転停止処理を示すフローである。
【符号の説明】
【００７３】
10  遊技機                              11  筐体
12  表示窓                              13  図柄表示窓
14  前扉                                15  投入スイッチ
16  ベットスイッチ                      17  精算スイッチ
18  メダル投入口                        20  制御装置
21  遊技制御装置                        22  演出制御装置
25  演出データ記憶手段                  26  演出制御手段
27  遊技制御手段                        30  スタートスイッチ
31  変動表示開始手段                    32  払い出し口
33  払い出し皿                          40  回転リール
41  図柄表示手段                        42  リールテープ
43  左側回転リール                      44  中央回転リール
45  右側回転リール                      50  ストップスイッチ
51  変動表示停止手段                    52  第１停止ストップスイッチ
53  第２停止ストップスイッチ            54  第３停止ストップスイッチ
60  リールユニット                      61  図柄
62  モータードライバ                    63  駆動モーター
64  ステッピングモーター                65  貯留払い出し手段
66  報知手段                            67  スピーカー
68  表示装置                            69  報知ランプ
110  当選抽選手段                      111  当選乱数発生手段
112  当選乱数抽出手段                  113  当選判定テーブル記憶手段
114  当選判定手段                      120  停止操作信号出力手段
150  停止表示不能期間設定手段          160  停止表示不能期間報知装置
【図１】
0004571912.tif 000002
【図２】
0004571912.tif 000003
【図３】
0004571912.tif 000004
【図４】
0004571912.tif 000005
【図５】
0004571912.tif 000006
【図６】
0004571912.tif 000007
【図７】
0004571912.tif 000008
【図８】
0004571912.tif 000009
【図９】
0004571912.tif 000010